(57)【要約】【課題】本発明は、記録データの連続性を保持した状態で容易に記憶装置の着脱が可能な記録装置を提供することを特徴とする。【解決手段】本発明による記録装置は、レコーダー１に内蔵された少なくとも１つ以上の着脱可能な記憶装置Ａ７と、記憶装置Ａ７へ記録中のデータを、記憶装置Ａ７に代わって一時的に記録可能な記憶装置Ｂ８と、レコーダー１が記録動作中も記憶装置Ａ７のレコーダー１からの着脱を可能とする着脱制御を行う着脱制御装置６とを備える。【選択図】図１
2012146162.tif 000002
【特許請求の範囲】
【請求項１】
記録装置に内蔵された少なくとも１つ以上の着脱可能な第１の記憶装置と、
前記第１の記憶装置へ記録中のデータを、前記第１の記憶装置に代わって一時的に記録可能な第２の記憶装置と、
前記記録装置が記録動作中も前記第１の記憶装置の前記記録装置からの着脱を可能とする着脱制御を行う着脱制御装置と、
を備える、記録装置。
【請求項２】
前記着脱制御装置は、
前記記録装置から前記第１の記憶装置を取り外す際、前記第１の記憶装置が記録中の場合は、当該記録中のデータを前記第１の記憶装置に代わって前記第２の記憶装置で記録するよう記録先を切り替え、
前記記録装置に前記第１の記憶装置を取り付ける際、前記第１の記憶装置に代わって前記第２の記憶装置が記録している場合は、当該記録したデータを前記第１の記憶装置に書き戻した後に、前記第２の記憶装置から前記第１の記憶装置に記録先を切り替えることを特徴とする、請求項１に記載の記録装置。
【請求項３】
前記第２の記憶装置は、前記記録装置に内蔵され当該記録装置から着脱可能な前記第１の記憶装置と同様の内蔵記憶装置であることを特徴とする、請求項１または２に記載の記録装置。
【請求項４】
前記第２の記憶装置は、前記記録装置内に備えられた内部メモリであることを特徴とする、請求項１または２に記載の記録装置。
【請求項５】
前記第２の記憶装置は、前記記録装置の外部に備えられ、当該記録装置に接続／離脱可能な外部記憶装置であることを特徴とする、請求項１ないし３のいずれかに記載の記録装置。
【請求項６】
前記第２の記憶装置は、前記記録装置とネットワークを介して接続された前記記録装置と同機能を有する第２の記録装置であることを特徴とする、請求項１または２に記載の記録装置。
【発明の詳細な説明】
【技術分野】
【０００１】
本発明は、データを記録する記憶装置を備える記録装置に関し、特に、記録を継続したままでも記憶装置の着脱が可能な記録装置に関する。
【背景技術】
【０００２】
従来、情報処理装置に内蔵された記憶装置を着脱する際に、情報処理装置の電源を停止することなく記憶装置を着脱する方法が提案されている（例えば、特許文献１参照）。
【先行技術文献】
【特許文献】
【０００３】
【特許文献１】特開２００６−２７７５０８号公報
【発明の概要】
【発明が解決しようとする課題】
【０００４】
映像、音声、または外部機器から入力された信号を記録・再生することができる記録再生装置（以下、レコーダーとも称する）を監視用途に使用する場合は、常に連続して記録を行う必要がある。従って、監視用のレコーダーに内蔵されている記憶装置を着脱する場合には、記憶装置がデータの書き込み中である可能性を考慮する必要がある。なお、本発明では、少なくとも記録する機能を有する記録装置であれば適用可能であり、以下、記録装置についてレコーダーを一例として説明する。
【０００５】
特許文献１では、書き込みを行なっていない記憶装置の着脱方法について提案されている。しかし、特許文献１に記載の着脱方法を監視用のレコーダーに適用すると、記憶装置の着脱時にデータの記録ができないという問題がある。
【０００６】
一方、同一のデータを異なる記憶装置の各々に多重に書き込むＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）技術があり、当該技術を利用すると、データの書き込み中であっても着脱対象の記憶装置を停止して着脱することが可能となる。しかし、ＲＡＩＤ技術を監視用のレコーダーに適用して実現する場合、記憶装置が書き込み中である可能性を考慮する必要があることから、記録および電源の停止や再起動などの一連の作業を手動で行わなければならず、専門知識が必要となる。また、同一のデータを異なる記憶装置の各々に多重に書き込んでいるため大量の記憶装置が必要となり、レコーダーの形状が大きくなってコストの増大や設置場所が制限されてしまう。
【０００７】
本発明は、これらの問題を解決するためになされたものであり、記録データの連続性を保持した状態で容易に記憶装置の着脱が可能な記録装置を提供することを特徴とする。
【課題を解決するための手段】
【０００８】
上記の課題を解決するために、本発明による記録装置は、記録装置に内蔵された少なくとも１つ以上の着脱可能な第１の記憶装置と、第１の記憶装置へ記録中のデータを、第１の記憶装置に代わって一時的に記録可能な第２の記憶装置と、記録装置が記録動作中も第１の記憶装置の記録装置からの着脱を可能とする着脱制御を行う着脱制御装置とを備える。
【発明の効果】
【０００９】
本発明によると、記録装置に内蔵された少なくとも１つ以上の着脱可能な第１の記憶装置と、第１の記憶装置へ記録中のデータを、第１の記憶装置に代わって一時的に記録可能な第２の記憶装置と、記録装置が記録動作中も第１の記憶装置の記録装置からの着脱を可能とする着脱制御を行う着脱制御装置とを備えるため、記録データの連続性を保持した状態で容易に記憶装置の着脱が可能となる。
【図面の簡単な説明】
【００１０】
【図１】本発明の実施形態１によるレコーダーの構成を示すブロック図である。
【図２】本発明の実施形態１による記憶装置の着脱の動作を示すフローチャートである。
【図３】本発明の実施形態２によるレコーダーの構成を示すブロック図である。
【図４】本発明の実施形態３によるレコーダーの構成を示すブロック図である。
【図５】本発明の実施形態４によるレコーダーの構成を示すブロック図である。
【図６】本発明の実施形態５によるレコーダーの構成を示すブロック図である。
【発明を実施するための形態】
【００１１】
本発明の実施形態について、図面に基づいて以下に説明する。
【００１２】
〈実施形態１〉
図１は、本発明の実施形態１によるレコーダー１（記録装置）の構成を示すブロック図である。図１に示すように、本実施形態１によるレコーダー１は、レコーダー１全体の制御を行うＣＰＵ（Ｃｅｎｔｒａｌ  Ｐｒｏｃｅｓｓｉｎｇ  Ｕｎｉｔ）２と、処理に必要なメモリを有し、映像、音声、外部機器から入力された信号の処理や、当該信号の加工または変換によるデータの作成とそれらの処理を行う信号処理回路３と、レコーダー１と外部との信号の入出力を行うインターフェース回路４と、ユーザー（作業者）からの操作入力やユーザーに対する表示を行うユーザーインターフェース回路５と、レコーダー１が動作中であってもレコーダー１から記憶装置Ａ７（第１の記憶装置）または記憶装置Ｂ８（第２の記憶装置）の着脱制御を行う着脱制御装置６と、信号処理回路３にて作成されたデータや、インターフェース回路４から入力された信号を蓄積し、レコーダー１から着脱可能な機構を有する記憶装置Ａ７および記憶装置Ｂ８とを備える。
【００１３】
なお、記憶装置Ａ７および記憶装置Ｂ８はレコーダー１に内蔵されており、同等の機能を有する。また、本実施形態１では、記憶装置Ｂ８（第２の記憶装置、内蔵記憶装置）は、記憶装置Ａ７（第１の記憶装置）へ記録中のデータを、記憶装置Ａ７に代わって一時的に記録可能であり、着脱制御装置６は、レコーダー１が動作中も記憶装置Ａ７のレコーダー１からの着脱を可能とする着脱制御を行う。
【００１４】
図２は、本実施形態１による記憶装置の着脱の動作を示すフローチャートである。
【００１５】
まず、レコーダー１から記憶装置Ａ７を取り外す動作について説明する。図２に示すように、着脱制御装置６には、インターフェース回路４またはユーザーインターフェース回路５から、記憶装置Ａ７の取り外し（解除）の要求が入力される（ステップＳ２０１）。着脱制御装置６に記憶装置Ａ７の取り外しの要求が入力されると、ＣＰＵ２は、記録中の記憶装置の確認（記憶装置Ａ７または記憶装置Ｂ８のいずれで記録が行われているのかの確認）を行い（ステップＳ２０２）、記憶装置Ａ７が記録中であるか否かを判断する（ステップＳ２０３）。ステップＳ２０３において、記憶装置Ａ７が記録中である場合は、記録先を記憶装置Ａ７から記憶装置Ｂ８に切り替え、記憶装置Ａ７に代わって記憶装置Ｂ８が記録を開始する（以下、記憶装置を切り替えて記録することを代替記録とも称する）（ステップＳ２０４）。ステップＳ２０４にて記憶装置Ｂ８が代替記録を開始すると、着脱制御装置６は、記憶装置Ａ７をレコーダー１から取り外し可能な状態にする（ステップＳ２０５）。また、ステップＳ２０３において、記憶装置Ａ７が記録中でない場合は、記憶装置Ｂ８への代替記録を行わず、記憶装置Ａ７をレコーダー１から取り外し可能な状態にする（ステップＳ２０５）。ステップＳ２０５の後、ＣＰＵ２は、記憶装置Ａ７が取り外し可能な状態になったことを、インターフェース回路４またはユーザーインターフェース回路５を介してユーザーに通知する（ステップＳ２０６）。通知を確認したユーザーは、記憶装置Ａ７の取り外しを行う（ステップＳ２０７）。このように、着脱制御装置６は、レコーダー１から記憶装置Ａ７を取り外す際、記憶装置Ａ７が記録中の場合は、当該記録中のデータを記憶装置Ａ７に代わって記憶装置Ｂ８で記録するよう記録先を切り替える。
【００１６】
次に、レコーダー１に記憶装置Ａ７を取り付ける動作について説明する。図２に示すように、記憶装置Ａ７をレコーダー１に取り付けると（ステップＳ２０７）、着脱制御装置６には、インターフェース回路４またはユーザーインターフェース回路５から、記憶装置Ａ７の取り付け（接続）の要求が入力される（ステップＳ２０８）。着脱制御装置６に記憶装置Ａ７の取り付けの要求が入力されると、着脱制御装置６は、記憶装置Ａ７をレコーダー１に接続する処理を行う（ステップＳ２０９）。ステップＳ２０９の後、ＣＰＵ２は、記憶装置Ｂ８にて代替記録が行われているか否かを判断し（ステップＳ２１０）、代替記録が行われている場合は、代替記録されたデータを記憶装置Ａ７に書き戻す（ステップＳ２１１）。ＣＰＵ２は、ステップＳ２１１にてデータの書き戻しが完了すると、記録先を記憶装置Ｂ８から記憶装置Ａ７に切り替え、記憶装置Ａ７への記録が開始される（ステップＳ２１２）。そして、ＣＰＵ２は、記憶装置Ａ７の接続が完了したことを、インターフェース回路４またはユーザーインターフェース回路５を介してユーザーに通知する（ステップＳ２１３）。また、ステップＳ２１０において、記憶装置Ｂ８が代替記録中でない場合は、記憶装置Ａ７の接続処理が完了すると直ちにその旨を通知する（ステップＳ２１３）。このように、着脱制御装置６は、レコーダー１に記憶装置Ａ７を取り付ける際、記憶装置Ａ７に代わって記憶装置Ｂ８が記録している場合は、当該記録したデータを記憶装置Ａ７に書き戻した後に、記憶装置Ｂ８から記憶装置Ａ７に記録先を切り替える。
【００１７】
なお、図２において、記憶装置Ｂ８をレコーダー１に対して着脱する場合は、図２のフローチャートに記載の記憶装置Ａ７と記憶装置Ｂ８とを読み替えて同様の手順で処理を行なえばよい。
【００１８】
以上のことから、本実施形態１によるレコーダー１は、記憶装置Ａ７（または記憶装置Ｂ８）の着脱時に、記憶装置Ａ７（または記憶装置Ｂ８）に記録中のデータを記憶装置Ｂ８（または記憶装置Ａ７）に代替記録することによって、記録すべきデータが欠落することなく、記録されたデータの連続性を保持したままで記憶装置を着脱することができる。また、記憶装置を着脱するために必要な一連の動作はレコーダーが制御するため、ユーザーの操作ミスなどによって記録データを消失させることなく確実に着脱作業を行うことができる。また、ユーザーはレコーダーに対して記憶装置の着脱の要求と確認を行うだけなので、着脱に関する専門知識がなくても容易に着脱作業を行うことができる。また、着脱のための専用の記憶装置を必要としないため、コストの増大とレコーダーの大型化を抑制することができる。
【００１９】
〈実施形態２〉
図３は、本発明の実施形態２によるレコーダー９の構成を示すブロック図である。図３に示すように、本実施形態２によるレコーダー９は、実施形態１の記憶装置Ｂ８（または記憶装置Ａ７）に代えて、レコーダー９内にデータを記録するための内部メモリ１０を備えることを特徴としている。その他の構成および動作は、実施形態１と同様であるため、ここでは説明を省略する。
【００２０】
実施形態１では、レコーダー１に内蔵された記憶装置Ｂ８（または記憶装置Ａ７）を代替記録の記録先としていた（図１参照）。しかし、図３に示すレコーダー９のように、着脱可能な記憶装置を１台しか備えていない場合、実施形態１のような記憶装置を専用の代替記録装置として新たに備えることは、コストの増大とレコーダー９の大型化を招いてしまう。
【００２１】
一方、本実施形態２では、代替記録の記録先をレコーダー９に内蔵された内部メモリ１０としており、記憶装置Ａ７の着脱時に、記憶装置Ａ７に記録中のデータを内部メモリ１０に代替記録している。従って、実施形態１のような代替記録専用の記憶装置を新たに備えることなく、実施形態１と同様の効果を得ることができる。なお、内部メモリ１０は、信号処理回路３が有するメモリとして兼用してもよい。
【００２２】
以上のことから、本実施形態２によるレコーダー９は、記憶装置Ａ７の着脱時に、記憶装置Ａ７に記録中のデータを内部メモリ１０に代替記録することによって、記録すべきデータが欠落することなく、記録されたデータの連続性を保持したままで記憶装置を着脱することができる。また、記憶装置を着脱するために必要な一連の動作はレコーダーが制御するため、ユーザー（作業者）の操作ミスなどによって記録データを消失させることなく確実に着脱作業を行うことができる。また、ユーザーはレコーダーに対して記憶装置の着脱の要求と確認を行うだけなので、着脱に関する専門知識がなくても容易に着脱作業を行うことができる。また、着脱のための専用の記憶装置を必要としないため、コストの増大とレコーダーの大型化を抑制することができる。
【００２３】
〈実施形態３〉
図４は、本発明の実施形態３によるレコーダー１１の構成を示すブロック図である。図４に示すように、本実施形態３によるレコーダー１１は、実施形態１の記憶装置Ｂ８（または記憶装置Ａ７）に代えて、レコーダー１１の外部に備えられレコーダー１１に接続／離脱可能な、データを記録するための外部記憶装置１２を備えることを特徴としている。その他の構成および動作は、実施形態１と同様であるため、ここでは説明を省略する。
【００２４】
実施形態１では、レコーダー１に内蔵された記憶装置Ｂ８（または記憶装置Ａ７）を代替記録の記録先としていた（図１参照）。また、実施形態２では、レコーダー９のように着脱可能な記憶装置を１台しか備えていない場合は、内部メモリ１０を代替記録の記録先としていた（図３参照）。しかし、着脱可能な記憶装置を１台しか備えていない場合であって、かつ、記憶装置Ａ７に蓄積するデータの記録レートが高い場合、実施形態２のレコーダー９では、代替記録されるデータの容量が大きくなるため大容量の内部メモリ１０が必要となりコストが増大してしまう。
【００２５】
一方、本実施形態３では、代替記録の記録先をレコーダー１１のインターフェース回路４に接続可能な外部記憶装置１２としており、記憶装置Ａ７の着脱時に、記憶装置Ａ７に記録中のデータを外部記憶装置１２に代替記録している。従って、実施形態２の内部メモリ１０を大容量にすることなく、実施形態１，２と同様の効果を得ることができる。
【００２６】
なお、外部記憶装置１２は活線挿抜が可能な装置、例えばＵＳＢ（Ｕｎｉｖｅｒｓａｌ  Ｓｅｒｉａｌ  Ｂｕｓ）規格の記憶装置を用いれば、レコーダー１１に内蔵された記憶装置Ａ７の着脱時にのみ外部記憶装置１２を接続すればよく、レコーダー１１をより低コストで構成することができる。
【００２７】
以上のことから、本実施形態３によるレコーダー１１は、記憶装置Ａ７の着脱時に、記憶装置Ａ７に記録中のデータを外部記憶装置１２に代替記録することによって、記録すべきデータが欠落することなく、記録されたデータの連続性を保持したままで記憶装置を着脱することができる。また、記憶装置を着脱するために必要な一連の動作はレコーダーが制御するため、ユーザー（作業者）の操作ミスなどによって記録データを消失させることなく確実に着脱作業を行うことができる。また、ユーザーはレコーダーに対して記憶装置の着脱の要求と確認を行うだけなので、着脱に関する専門知識がなくても容易に着脱作業を行うことができる。また、着脱のための専用の記憶装置を必要としないため、コストの増大とレコーダーの大型化を抑制することができる。
【００２８】
〈実施形態４〉
図５は、本発明の実施形態４によるレコーダー１３の構成を示すブロック図である。図５に示すように、本実施形態４によるレコーダー１３は、実施形態１のレコーダー１（図１参照）に加えて、外部記憶装置１２をさらに備えていることを特徴としている。その他の構成および動作は、実施形態１と同様であるため、ここでは説明を省略する。なお、外部記憶装置１２は、実施形態３のレコーダー１１に備えられた外部記憶装置１２と同様である。
【００２９】
本実施形態４では、データを記録するための記憶装置として、レコーダー１３に内蔵された記憶装置Ａ７および記憶装置Ｂ８だけでなく、インターフェース回路４に接続された外部記憶装置１２を用いて、データの記録容量を追加することができる構成となっている。また、記憶装置Ａ７、記憶装置Ｂ８、および外部記憶装置１２のいずれも着脱が可能である。従って、本実施形態４では、例えば、外部記憶装置１２にデータを記録している場合において、外部記憶装置１２の着脱時に、外部記憶装置１２に記録中のデータを記憶装置Ａ７または記憶装置Ｂ８のいずれかに代替記録させることができ、実施形態１と同様の効果を得ることができる。
【００３０】
なお、データの記録は、記憶装置Ａ７、記憶装置Ｂ８、および外部記憶装置１２のいずれにおいても可能である。また、データの代替記録は、記録中の記憶装置以外の装置（記憶装置Ａ７、記憶装置Ｂ８、外部記憶装置１２）のいずれにおいても可能である。
【００３１】
以上のことから、本実施形態４によるレコーダー１３は、例えば、外部記憶装置１２の着脱時に、外部記憶装置１２に記録中のデータを記憶装置Ａ７または記憶装置Ｂ８に代替記録することによって、記録すべきデータが欠落することなく、記録されたデータの連続性を保持したままで記憶装置を着脱することができる。また、記憶装置を着脱するために必要な一連の動作はレコーダーが制御するため、ユーザー（作業者）の操作ミスなどによって記録データを消失させることなく確実に着脱作業を行うことができる。また、ユーザーはレコーダーに対して記憶装置の着脱の要求と確認を行うだけなので、着脱に関する専門知識がなくても容易に着脱作業を行うことができる。また、着脱のための専用の記憶装置を必要としないため、コストの増大とレコーダーの大型化を抑制することができる。
【００３２】
〈実施形態５〉
図６は、本発明の実施形態５による第１のレコーダー１４の構成を示すブロック図である。図６に示すように、本実施形態５による第１のレコーダー１４は、実施形態１の記憶装置Ｂ８（または記憶装置Ａ７）に代えて、第１のレコーダー１４（記録装置）とネットワークを介して接続された、第１のレコーダー１４と同機能を有する第２のレコーダー１５（第２の記録装置）を備えることを特徴としている。なお、第２のレコーダー１５は、第１のレコーダー１４と同様の構成要素を備えている。また、第１のレコーダー１４および第２のレコーダー１５は、ネットワークを介して信号送出装置１６と接続されており、第１のレコーダー１４の記憶装置Ａ７で記録されたデータは信号送出装置１６を介して第２のレコーダー１５に送出される。なお、信号送出装置１６は、映像、音声などのデータをネットワークに送出するために備えられている装置である。
【００３３】
実施形態１〜４では、レコーダーが単独で記録中の記憶装置の着脱を実現していた。しかし、レコーダーが記憶装置を１台しか備えていない場合において、実施形態２では内部メモリ１０の追加が、実施形態３では外部記憶装置１２の追加がそれぞれ必要であった。
【００３４】
一方、レコーダーに記録されるデータ（信号）がネットワークを介して入力される場合、同一のネットワーク上に複数のレコーダーが接続される構成は一般的である。本実施形態５では、第１のレコーダー１４の記憶装置Ａ７の着脱時において、記憶装置Ａ７で記録されたデータをネットワーク上の信号送出装置１６を介して第２のレコーダー１５に代替記録させることによって、代替記録専用の記憶装置を備えることなく記録中の記憶装置の着脱を実現することができる。
【００３５】
以上のことから、本実施形態５による第１のレコーダー１４は、記憶装置Ａ７の着脱時に、記憶装置Ａ７に記録中のデータをネットワークを介して接続された第２のレコーダー１５に代替記録することによって、記録すべきデータが欠落することなく、記録されたデータの連続性を保持したままで記憶装置を着脱することができる。また、記憶装置を着脱するために必要な一連の動作はレコーダーが制御するため、ユーザー（作業者）の操作ミスなどによって記録データを消失させることなく確実に着脱作業を行うことができる。また、ユーザーはレコーダーに対して記憶装置の着脱の要求と確認を行うだけなので、着脱に関する専門知識がなくても容易に着脱作業を行うことができる。また、着脱のための専用の記憶装置を必要としないため、コストの増大とレコーダーの大型化を抑制することができる。
【符号の説明】
【００３６】
１  記録再生装置、２  ＣＰＵ、３  信号処理回路、４  インターフェース回路、５  ユーザーインターフェース回路、６  着脱制御装置、７  記憶装置Ａ、８  記憶装置Ｂ、９  記録再生装置、１０  内部メモリ、１１  記録再生装置、１２  外部記憶装置、１３  記録再生装置、１４  第１の記録再生装置、１５  第２の記録再生装置、１６  信号送出装置。
【図１】
2012146162.tif 000003
【図２】
2012146162.tif 000004
【図３】
2012146162.tif 000005
【図４】
2012146162.tif 000006
【図５】
2012146162.tif 000007
【図６】
2012146162.tif 000008